(57)【要約】【課題】厚さが異なるレンズに対してもレンズ飛散防止金網を取付ける部品を共通して使用ができ、ムラのないきれいな照射面を提供することができる照明装置を提供する。【解決手段】レンズ飛散防止金網３０が、レンズ２０の前面形状に対応した形状であるので、厚いレンズを用いる場合および薄いレンズを用いる場合に、レンズ２０を取付ける枠体４０の金網取付部４３ａにレンズ飛散防止金網３０を取付けることができ、枠体４０を共通して使用することができる。また、レンズ飛散防止金網３０はレンズ２０のすぐ前方に取付けられるので、ムラのないきれいな照射面を提供することができる。【選択図】図１
2009104988.tif 000002
【特許請求の範囲】
【請求項１】
光源の前方にレンズおよび該レンズを保護するレンズ飛散防止金網を有する照明装置であって、
前記レンズを取付ける枠体を有し、
前記枠体における前記レンズの前方に前記レンズ飛散防止金網を取付ける金網取付部を有し、
前記レンズ飛散防止金網が、前記レンズの前面形状に対応した形状である照明装置。
【請求項２】
前記レンズが平凸レンズである場合には、前記レンズ飛散防止金網が前記平凸レンズの前面形状に対応して湾曲している請求項１記載の照明装置。
【請求項３】
前記レンズがフレネルレンズである場合には、前記レンズ飛散防止金網が平面状である請求項１記載の照明装置。
【発明の詳細な説明】
【技術分野】
【０００１】
本発明は、光源の前方にレンズおよびレンズ飛散防止金網を有する照明装置に関するものである。
【背景技術】
【０００２】
従来より、舞台やスタジオにおける照明装置としてスポットライトが用いられている（例えば特許文献１参照）。
図６に示すように、特許文献１に記載のスポットライト１００では、本体１０１の内部に光源１０２を有しており、光源１０２の前方にレンズ１０３を有し、光源１０２の後方に反射鏡１０４を有している。そして、レンズ１０３を取付けてある枠体１０６におけるレンズ１０３の前側には、レンズ１０３が破損した際に破片が飛散するのを防止するために、レンズ飛散防止金網１０５が取付けられている。なお、スポットライト１００に用いられるレンズ１０３としては、通常の平凸レンズあるいはフレネルレンズを用いるのが一般的である。
【特許文献１】登録実用新案第３００９００５号公報（第１図）
【発明の開示】
【発明が解決しようとする課題】
【０００３】
ところで、レンズ飛散防止金網１０５が照射面に写り込むと、照射面にムラが生じる原因となる。このムラの発生には、レンズ飛散防止金網１０５とレンズ１０３との間隔が関係しており、一般に、間隔を小さくするとレンズ飛散防止金網１０５の影響を小さくすることができる。
【０００４】
しかしながら、図７（Ａ）、（Ｂ）に示すように、平凸レンズ１０３ａとフレネルレンズ１０３ｂとは、厚さが大きく異なるため、平凸レンズ１０３ａを用いた際（図７（Ａ）参照）にレンズ飛散防止金網１０５を取付けることができるようにすれば、フレネルレンズ１０３ｂを取付けた際（図７（Ｂ）参照）にレンズ飛散防止金網１０５がレンズから遠く離れることになり、照射面にムラを生じるという問題があった。
【０００５】
本発明は、従来の問題を解決するためになされたもので、厚さが異なるレンズに対してもレンズ飛散防止金網を取付ける部品を共通して使用ができ、ムラのないきれいな照射面を提供することができる照明装置を提供することを目的とする。
【課題を解決するための手段】
【０００６】
本発明の照明装置は、光源の前方にレンズおよび該レンズを保護するレンズ飛散防止金網を有する照明装置であって、前記レンズを取付ける枠体を有し、前記枠体における前記レンズの前方に前記レンズ飛散防止金網を取付ける金網取付部を有し、前記レンズ飛散防止金網が、前記レンズの前面形状に対応した形状である構成を有している。
【０００７】
この構成により、レンズ飛散防止金網が、レンズの前面形状に対応した形状であるので、厚いレンズを用いる場合および薄いレンズを用いる場合に、レンズを取付ける枠体の金網取付部にレンズ飛散防止金網を取付けることができ、枠体を共通して使用することができる。また、レンズ飛散防止金網はレンズのすぐ前方に取付けられるので、ムラのないきれいな照射面を提供することができる。
【０００８】
また、本発明の照明装置は、前記レンズが平凸レンズである場合には、前記レンズ飛散防止金網が前記平凸レンズの前面形状に対応して湾曲している構成を有している。
【０００９】
この構成により、レンズ飛散防止金網が平凸レンズの前面形状に対応して湾曲しているので、レンズ飛散防止金網を平凸レンズのすぐ前方に取付けることができる。
【００１０】
さらに、本発明の照明装置は、前記レンズがフレネルレンズである場合には、前記レンズ飛散防止金網が平面状である構成を有している。
【００１１】
この構成により、レンズ飛散防止金網がフレネルレンズの前面形状に対応して平面状であるので、レンズ飛散防止金網をフレネルレンズのすぐ前方に取付けることができる。
【発明の効果】
【００１２】
本発明は、レンズ飛散防止金網が、レンズの前面形状に対応した形状であるので、厚いレンズを用いる場合および薄いレンズを用いる場合に、レンズを取付ける枠体の金網取付部にレンズ飛散防止金網を取付けることができ、枠体を共通して使用することができる。また、レンズ飛散防止金網はレンズのすぐ前方に取付けられるので、ムラのないきれいな照射面を提供することができるものである。
【発明を実施するための最良の形態】
【００１３】
以下、本発明の実施の形態にかかる照明装置について、図面を用いて説明する。
図１（Ａ）は本発明にかかる照明装置において平凸レンズを用いた場合を示す正面図、図１（Ｂ）は側面図、図２（Ａ）は本発明にかかる照明装置においてフレネルレンズを用いた場合を示す正面図、図２（Ｂ）は側面図、図３（Ａ）は平凸レンズを用いた場合の枠体を横から見た断面図、図３（Ｂ）はフレネルレンズを用いた場合の枠体を横から見た断面図、図４（Ａ）は平凸レンズ用のレンズ飛散防止金網を示す斜視図、図４（Ｂ）はフレネルレンズ用のレンズ飛散防止金網を示す斜視図である。
【００１４】
図１および図２に示すように、本発明の照明装置であるスポットライト１０は、箱状の本体１１の内部に光源であるランプ１２を有し、ランプ１２の前方にレンズ２０および該レンズ２０を保護するレンズ飛散防止金網３０を有している。また、本体１１内部のランプ１２後方には、ランプ１２の光を照明方向（すなわち、レンズ２０方向）へ反射して集光する反射鏡１３を有している。
【００１５】
従って、ランプ１２から発せられた光は、反射鏡１３によって反射され、あるいは直接照明方向へ放射されて、レンズ２０を介して照射されることになる。なお、本体１１の両側面１１ａには回転軸１４により取っ手１５が取付けられており、本体１１を所望の角度に設定してツマミ１４ａを締めることにより、本体１１を吊下げ状態で所望の角度で固定できるようになっている。
【００１６】
本体１１の前面には、レンズ２０およびレンズ飛散防止金網３０を本体１１に取付けるための枠体４０が設けられており、枠体４０には円形の切欠き４０ａが設けられている。枠体４０の後面（すなわち、本体１１前面側）にはレンズ２０を取付けるためのレンズ取付部４３が設けられている。このレンズ取付部４３は、例えば平凸レンズ２１のような厚いレンズおよび例えばフレネルレンズ２２のような薄いレンズを共通して取付けることができるようになっている。
【００１７】
図１および図３（Ａ）に示すように、厚いレンズである例えば平凸レンズ２１を用いる場合には、枠体４０におけるレンズ２０の前方位置に、平凸レンズ２１用のレンズ飛散防止金網３１が取付けられる。図４（Ａ）に示すように、このレンズ飛散防止金網３１は、円環状のフレーム３１ａとこのフレーム３１ａに取付けられている金網３１ｂから構成されている。金網３１ｂの形状は、平凸レンズ２１の表面の形状に対応して湾曲している。例えば、平凸レンズ２１の前面が部分球状である場合には、この前面より若干大きめの相似形状（すなわち、部分球状）となっている。これにより、レンズ飛散防止金網３１を平凸レンズ３１の前に取付けた際に、平凸レンズ２１の表面から一定の間隔で金網３１ｂを配置することができる。
【００１８】
また、図２および図３（Ｂ）に示すように、薄いレンズである例えばフレネルレンズ２２を用いる場合には、枠体４０におけるレンズ２０の前方位置に、フレネルレンズ２２用のレンズ飛散防止金網３２が取付けられる。図４（Ｂ）に示すように、このレンズ飛散防止金網３２は、円環状のフレーム３２ａとこのフレーム３２ａに取付けられている金網３２ｂから構成されている。金網３２ｂの形状は、フレネルレンズ２２の表面の形状（全体として見れば平面に近い形状）と同じ形状（すなわち、平面）となっている。これにより、レンズ飛散防止金網３２をフレネルレンズ２２の前に取付けた際に、フレネルレンズ２２の表面から一定の間隔で金網３２ｂを配置することができる。
【００１９】
図３（Ａ）および（Ｂ）に示すように、レンズ飛散防止金網３１，３２は、金網取付部としてのレンズ取付部４３の前面４３ａにネジ４４等の締結具を用いて、円形のフレーム３１ａ、３２ａを全周にわたって複数箇所固定することにより取付けられる。なお、金網取付部（４３ａ）をレンズ取付部４３とは別個に設けることもできる。
【００２０】
また、レンズ２０およびレンズ飛散防止金網３０を枠体４３に取付ける際には、平凸レンズ２１を用いる場合も、フレネルレンズ２２を用いる場合も、先にレンズ飛散防止金網３０をレンズ取付部４３の前面４３ａに固定する。その後、レンズ２１、２２をレンズ取付部４３に取付ける。
【００２１】
以上、説明した照明装置１０によれば、レンズ飛散防止金網が、レンズの前面形状に対応した形状であるので、厚いレンズを用いる場合および薄いレンズを用いる場合に、レンズを取付ける枠体の金網取付部にレンズ飛散防止金網を取付けることができ、枠体を共通して使用することができる。
また、レンズ飛散防止金網はレンズのすぐ前方に取付けられるので、ムラのないきれいな照射面を提供することができる。
さらに、厚いレンズおよび薄いレンズに対してレンズ取付部４３を同じ構造とすることができるので、枠体４０を共通して使用することができる。
【００２２】
なお、本発明の照明装置は、前述した実施形態に限定されるものでなく、適宜な変形，改良等が可能である。
例えば、前述した実施形態においては、取っ手１５によって本体１１を吊下げ状態で使用する場合について説明したが、取っ手１５を設けずに、支柱（図示省略）等に取付けて使用することも可能である。
また、薄いレンズとしてフレネルレンズ２２を例示したが、この他、薄い平凸レンズを薄いレンズとして用いることができる。
【００２３】
また、図３（Ａ）および（Ｂ）において前述した場合には、レンズ飛散防止金網３１、３２をレンズ取付部４３の前面に取付ける場合について説明したが、図５（Ａ）および（Ｂ）に示すように、レンズ飛散防止金網３１、３２を、レンズ取付部４３の後面側に取付けるようにしてもよい。この場合には、レンズ飛散防止金網３１、３２をレンズ２１，２２と同時に取付けるようにすることも可能である。なお、レンズ飛散防止金網３１、３２の固定方法は限定するものではない。
【産業上の利用可能性】
【００２４】
以上のように、本発明にかかる照明装置は、レンズ飛散防止金網が、レンズの前面形状に対応した形状であるので、厚いレンズを用いる場合および薄いレンズを用いる場合に、レンズを取付ける枠体の金網取付部にレンズ飛散防止金網を取付けることができ、枠体を共通して使用することができる。また、レンズ飛散防止金網はレンズのすぐ前方に取付けられるので、ムラのないきれいな照射面を提供することができるという効果を有し、光源の前方にレンズおよびレンズ飛散防止金網を有する照明装置等として有用である。
【図面の簡単な説明】
【００２５】
【図１】（Ａ）は本発明にかかる照明装置において平凸レンズを用いた場合を示す正面図、（Ｂ）は側面図
【図２】（Ａ）は本発明にかかる照明装置においてフレネルレンズを用いた場合を示す正面図、（Ｂ）は側面図
【図３】（Ａ）は平凸レンズを用いた場合の枠体を横から見た断面図、（Ｂ）はフレネルレンズを用いた場合の枠体を横から見た断面図
【図４】（Ａ）は平凸レンズ用のレンズ飛散防止金網を示す斜視図、（Ｂ）はフレネルレンズ用のレンズ飛散防止金網を示す斜視図
【図５】（Ａ）は平凸レンズを用いた場合のレンズ飛散防止金網の別の取付け方を示す断面図、（Ｂ）はフレネルレンズを用いた場合のレンズ飛散防止金網の別の取付け方を示す断面図
【図６】（Ａ）従来のスポットライトを示す正面図、（Ｂ）従来のスポットライトを示す側面図
【図７】（Ａ）平凸レンズを用いた従来のスポットライトを示す側面図、（Ｂ）フレネルレンズを用いた従来のスポットライトを示す側面図
【符号の説明】
【００２６】
１０  スポットライト（照明装置）
１２  ランプ（光源）
２０  レンズ
２１  平凸レンズ
２２  フレネルレンズ
３０  レンズ飛散防止金網
３１  平凸レンズ用レンズ飛散防止金網
３２  フレネルレンズ用レンズ飛散防止金網
４０  枠体
４３ａ  レンズ取付部前面（金網取付部）
【図１】
2009104988.tif 000003
【図２】
2009104988.tif 000004
【図３】
2009104988.tif 000005
【図４】
2009104988.tif 000006
【図５】
2009104988.tif 000007
【図６】
2009104988.tif 000008
【図７】
2009104988.tif 000009